(57)【要約】【課題】  ベッドで横になった使用者の身体に抑圧感や違和感を感じさせることなく、快適な状態で就寝できるソファーベッドを提供する。【解決手段】  基台１に座部２が移動可能に設置されると共に、前記座部２に取付けられた移動ブラケット３と、背もたれ部４に取付けられた起伏ブラケット５とを起伏装置６により連結し、背もたれ部４を座部２に対して起伏可能にしたものとし、前記起伏装置６を介設させることによリ座部２と背もたれ部４の間に形成された空間部Ｓの上部に、背もたれ部４が伏した状態において、上面が前記座部２及び背もたれ部４の上面と面一になるようにして弾性支持体15を介在させたものとしている。【選択図】        図１
0003171110.tif 000002
【実用新案登録請求の範囲】
【請求項１】
基台(1)に座部(2)が水平方向へ移動可能に設置されると共に、前紀座部(2)に取付けられた移動ブラケット(3)と、背もたれ部 (4)に取付けられた起伏ブラケット(5)とを起伏装置(6)によリ連結し、背もたれ部(4)を座部(2)に対して起伏可能にしたものとし、前記起伏装置(6)を介設させることにより座部(2)と背もたれ部(4)の間に形成された空間部(S)の上部に、背もたれ部(4)が伏した状態において、上面が前記座部(2)及び背もたれ部(4)の上面と面一になるようにして弾性支持体(15)を介在させたものとしたことを特徴とするソファーベッド。
【請求項２】
前記移動ブラケット(3)と起伏ブラケット(5)と起伏装置(6)とが、前記座部(2)および背もたれ部(4)の厚み方向の中間部またはそれ以下に位置したことを特徴とする請求項１に記載のソファーベット。
【請求項３】
前記起伏装置(6)を、座部(2)に取付けられた移動ブラケット(3)と、背もたれ部(4)に取付けられた起伏ブラケット(5)との間に中間ブラケット(7)を介設させたものとし、この中間ブラケット(7)の一端の下部(7a)は、前記移動ブラケット(3)の一端の下部(3a)に軸着し、前記中間ブラケット(7)の他端の上部(7b)は、前配起伏ブラケット(5)の一端の上部(5a)に軸着したものとし、さらに第一リンク(8)の一端(8a)を前記基台(1)に、他端(8b)を前記移動ブラケット(3)の一端の下部(3a)にそれぞれ軸着し、第ニリンク(9)の一端(9a)を前記移動ブラケット(3)の一端の上部(3b)に、他端(9b)を前記起伏ブラケット(5)の一端の下部(5b)にそれぞれ軸着し、第三リンク(10)の一端(10a)を前記起伏ブラケット(5)の一端の下部(5b)に、他端(10b)を前記基台(1)にそれぞれ軸着したものとし、前記第一リンク(8)及び第三リンク(10)は、基台(1)に固着されたバネ(11)及び(12)によって、背もたれ部(4)が起き上がる方向に、それぞれバネ付勢されているものとしたことを特徴とする請求項１または請求項２に記載のソファーベッド。
【請求項４】
前記弾性支持体(15)をクッション材とし、前記座部(2)と背もたれ部(4)との対向端にそれぞれ勾配面(2a、4a)を設け、これら勾配面(2a、4a)にそれぞれ接触するテーパ面(16a、15a)を前記クッション材に設けたものとし、このクッション材が前記空間部(S)の下部に落下しないようにして、前記空間部(S)に挟み込まれるようにしたことを特徴とする請求項１〜３のいずれかに記載のソファーベッド。
【請求項５】
前記弾性支持体(15)をＳバネとし、前紀座部(2)と背もたれ部(4)との対向端にそれぞれ勾配面(2a、4a)を設け、これら勾配面(2a、4a)に前記空間部(S)の上部が狭められるように前記Ｓバネを屈曲させて、前記空間部(S)に複数本、並設したものとしたことを特徴とする請求項１〜３のいずれかに記載のソファーベッド。
【請求項６】
前記弾性支持体(15)を覆うように前記座部(2)側から背もたれ部(4)側にかけて、これら弾性支持体(15)、座部(2)及び背もたれ部(4)の上面に上層クッション材(16)を重ね合わせたものとしたことを特徴とする請求項１〜５の何れかに記載のソファーベッド。
【請求項７】
前記座部(2)の移動ブラケット(3)の他端を転動体(17)によって支持したものとしたことを特微とする請求項１〜６の何れかに記載のソファーベッド。
【考案の詳細な説明】
【技術分野】
【０００１】
この考案は、ベッド形態とソファー形態とに転換可能なソファーベッドに関するものである。
【背景技術】
【０００２】
この種のソファーベッドは、背もたれ部を起立させることによりソファー状態になる一方、背もたれ部を倒伏させることによりベッド状態になるものである。この起伏操作は座部と背もたれ部との間に配設された起伏装置によって行なわれる。
【０００３】
従来、この種のソファーベッドは、図７に示すようにソファー状態における座部21側の固定枠22と、背もたれ部23の起伏枠24とを起伏装置により連結し、起伏枠24を固定枠22に対して起伏可能にしている。この起伏装置は、固定枠22に取付けられた固定ブラケット25と、枢支ピン26によって固定ブラケット25と枢支連結され、起伏枠24に取付けられた起伏ブラケット27と、固定ブラケット24に枢着ピン28により枢着され、起伏ブラケット27側に設けられた係止ピン29に係脱自在に係止される係止レバー30と、この係止レバー30を係止ピン29との係止側に付勢するバネ31等からなり、係止レバー30の遊端側には係止溝30ａが設けられていると共に保持爪30ｂが枢着されている（特許文献１）。
【０００４】
従来のソファーベッドは、ベッド状態では、起伏ブラケット27が倒伏し、係止レバー30はそのベッド状態用ピン係合溝30ｃが係止ピン29に係合する。このベッド状態から背もたれ部23を起こして起伏ブラケット27を回動させると、所定の角度位置で係止レバー30の係合溝30ａが係止ピン29に係合して爪30ｂにより保持され、それによって背もたれ部23が所定の起立姿勢に保持される。また、この起立姿勢から背もたれ部23を更に起こした後、そのまま後方へ倒すことにより、背もたれ部23が倒伏して、ベッド状態になる。
【先行技術文献】
【特許文献】
【０００５】
【特許文献１】実用新案登録第３００４３９１号公報
【考案の概要】
【考案が解決しようとする課題】
【０００６】
ところが、従来のソファーベッドは、ベッド状態において短手方向（ベッド状態の幅方向）の中央位置において、座部21と背もたれ部23間に位置する枢支ピン26の一部がこれらの上面から突き出て、その結果、ベッドで横になった使用者の身体にこの枢支ピン26が当ることがある。そのため、この枢支ピン26を覆うように座部21側から背もたれ23側にかけて、これらの上面に上層クッション材（図示せず）を重ね合わせたりしているが、この上層クッション材の上からでも枢支ピン26が当ると、抑圧感や違和感を感じるなどして、快適な状態で就寝できるものではなかった。
【０００７】
そこで、この考案は、上記従来の問題点を解決することをその課題としており、ベッドで横になった使用者の身体に抑圧感や違和感を感じさせることなく、快適な状態で就寝できるソファーベッドを提供することを目的としてなされたものである。
【課題を解決するための手段】
【０００８】
請求項１に記載の本発明は、基台(7)に座部(2)が移動可能に設置されると共に、前紀座部(2)に取付けられた移動ブラケット(3)と、背もたれ部 (4)に取付けられた起伏ブラケット(5)とを起伏装置(6)によリ連結し、背もたれ部(4)を座部(2)に対して起伏可能にしたものとし、前記起伏装置(6)を介設させることにより座部(2)と背もたれ部(4)の間に形成された空間部(S)の上部に、背もたれ部(4)が伏した状態において、上面が前記座部(2)及び背もたれ部(4)の上面と面一になるようにして弾性支持体(15)を介在させたものとしたことを特徴とするソファーベッドである。
【０００９】
請求項２に記載の本発明は、前記移動ブラケット(3)と起伏ブラケット(5)と起伏装置(6)とが、前記座部(2)および背もたれ部(4)の厚み方向の中間部またはそれ以下に位置したことを特徴とする請求項１に記載のソファーベットである。
【００１０】
請求項３に記載の本発明は、前記起伏装置(6)を、座部(2)に取付けられた移動ブラケット(3)と、背もたれ部(4)に取付けられた起伏ブラケット(5)との間に中間ブラケット(7)を介設させたものとし、この中間ブラケット(7)の一端の下部(7a)は、前記移動ブラケット(3)の一端の下部(3a)に軸着し、前記中間ブラケット(7)の他端の上部(7b)は、前配起伏ブラケット(5)の一端の上部(5a)に軸着したものとし、さらに第一リンク(8)の一端(8a)を前記基台(1)に、他端(8b)を前記移動ブラケット(3)の一端の下部(3a)にそれぞれ軸着し、第ニリンク(9)の一端(9a)を前記移動ブラケット(3)の一端の上部(3b)に、他端(9b)を前記起伏ブラケット(5)の一端の下部(5b)にそれぞれ軸着し、第三リンク(10)の一端(10a)を前記起伏ブラケット(5)の一端の下部(5b)に、他端(10b)を前記基台(1)にそれぞれ軸着したものとし、前記第一リンク(8)及び第三リンク(10)は、基台(1)に固着されたバネ(11)及び(12)によって、背もたれ部(4)が起き上がる方向に、それぞれバネ付勢されているものとしたことを特徴とする請求項１または請求項２に記載のソファーベッドである。
【００１１】
請求項４に記載の本発明は、前記弾性支持体(15)をクッション材とし、前記座部(2)と背もたれ部(4)との対向端にそれぞれ勾配面(2a、4a)を設け、これら勾配面(2a、4a)にそれぞれ接触するテーパ面(16a、15a)を前記クッション材に設けたものとし、このクッション材が前記空間部(S)の下部に落下しないようにして、前記空間部(S)に挟み込まれるようにしたことを特徴とする請求項１〜３のいずれかに記載のソファーベッドである。
【００１２】
請求項５に記載の本発明は、前記弾性支持体(15)をＳバネとし、前紀座部(2)と背もたれ部(4)との対向端にそれぞれ勾配面(2a、4a)を設け、これら勾配面(2a、4a)に前記空間部(S)の上部が狭められるように前記Ｓバネを屈曲させて、前記空間部(S)に複数本、並設したものとしたことを特徴とする請求項１〜３のいずれかに記載のソファーベッドである。
【００１３】
請求項６に記載の本発明は、前記弾性支持体(15)を覆うように前記座部(2)側から背もたれ部(4)側にかけて、これら弾性支持体(15)、座部(2)及び背もたれ部(4)の上面に上層クッション材(16)を重ね合わせたものとしたことを特徴とする請求項１〜５の何れかに記載のソファーベッドである。
【００１４】
請求項７に記載の本発明は、前記座部(2)の移動ブラケット(3)の他端を転動体(17)によって支持したものとしたことを特微とする請求項１〜６の何れかに記載のソファーベッドである。
【考案の効果】
【００１５】
この考案のソファーベッドは、以上に述べたように構成されているので、背もたれ部を倒伏させることによりベッド状態にして、使用者が横になったときにも、使用者の身体に抑圧感や違和感を感じさせることなく、快適な状態で就寝できるようになった。
【図面の簡単な説明】
【００１６】
【図１】この考案のソファーベッドの一実施形態を示しており、そのソファーベッドのベッド状態を示す説明図である。
【図２】図１に示すこの考案のソファーベッドのベッド状態からソファー状態になる途中の状態を示す説明図である。
【図３】図１に示すこの考案のソファーベッドのソファー状態を示す説明図である。
【図４】この考案のソファーベッドの他の実施形態を示しており、そのソファーベッドのベッド状態を示す説明図である。
【図５】図４に示すこのソファーベッドのベッド状態からソファー状態になる途中の状態を示す説明図である。
【図６】図４に示すこの考案のソファーベッドのソファー状態を示す説明図である。
【図７】従来のソファーベッドに装着した起伏装置の説明図である。
【考案を実施するための形態】
【００１７】
以下、この考案のソファーベッドを実施するための形態を、図面に基づいて詳細に説明する。
【００１８】
図１〜３はこの考案のソファーベッドの一実施形態を示しており、図４〜６はこの考案のソファーベッドの他の実施形態を示している。図１、４はそのソファーベッドのベッド状態において短手方向（ベッド状態の幅方向）から見た説明図を示し、図２、５はそのソファーベッドのベッド状態からソファー状態になる途中の状態において短手方向から見た説明図を示し、図３、６はそのソファーベッドのソファー状態において短手方向から見た説明図を示している。
【００１９】
この考案のソファーベッドは、図１、４に示したベッド状態において、基台１に座部２が移動可能に設置されると共に、前記座部２に取り付けられた移動ブラケット３と、背もたれ部４に取付けられた起伏ブラケット５とを起伏装置６により連結し、背もたれ部４を座部２に対して、図１、４に示した状態から、図２、５に示した状態を経て、図３、６に示した状態になるように、起伏可能にしたものとしている。
【００２０】
前記起伏装置６は、座部２に取付けられた移動ブラケット３と、背もたれ部４に取り付けられた起伏ブラケット５との間に中間部ラケット７を介設させたものとしている。そして、この中間ブラケット７の一端の下部7aは、前記移動ブラケット３の一端の下部3aに軸着し、前記中間ブラケット７の他端の上部7bは前記起伏ブラケット５の一端の上部5aに軸着している。
【００２１】
さらに、前記起伏装置６は、第一リンク８、第二リンク９及び第三リンク10によってリンク機構を構成しており、第一リンク８の一端8aを前記基台１に、他端8bを前記移動ブラケット３の一端の下部3aにそれぞれ軸着し、第二リンク９の一端9aを前記移動ブラケット３の一端の上部3bに、他端9bを前記起伏ブラケット５の一端の下部5bにそれぞれ軸着し、第三リンク10の一端10ａを前記起伏ブラケット５の一端の下部5bに、他端10ｂを前記基台１にそれぞれ軸着したものとしている。
【００２２】
前記第一リンク８及び第三リンク10は、基台１に固着されたバネ11および12によって、背もたれ部４が起き上がる方向に、それぞれバネ付勢されているものとしている。なお、13は前記第一リンク８のソファー状態での支持体であり、14は前記第三リンク10のベッド状態での支持体である。
【００２３】
そして、この考案のソファーベッドでは、前記中間ブラケット７を介設させることにより座部２と背もたれ部４との間に形成された空間部Ｓの上部に、背もたれ部４が伏した状態において、上面が前記座部２及び背もたれ部４の上面と面一になるようにして弾性支持体15を介在させたものとしている。
【００２４】
前記弾性支持体15は図１〜図３、図４〜図６に示したような、スポンジゴムなどからなるクッション材としたり、図４〜６において、スポンジゴムに代えＳバネ（ウェーピングスプリング）などとすることができる。
【００２５】
前記弾性支持体15をクッション材とした場合には、座部２と背もたれ部４との対向端にそれぞれ勾配面2a、4aを設け、これら勾配面2a、4aにそれぞれ接触するテーパ面15ａ、15ｂを前記クッション材に設けたものとし、このクッション材が前記空間部Ｓの下部に落下しないようにして、前記空間部Ｓに挟み込まれるようにしている。なお、前記座部２と背もたれ部４の勾配面2a、4aのそれぞれの勾配角は、クッション材の伸縮の度合いに応じて、強くしたり弱くしたりすることができる。
【００２６】
前記弾性支持体15をＳバネとした場合には、座部２と背もたれ部４との対向端にそれぞれ勾配面2a、4aを設け、これら勾配面2a、4aに前記空間部Ｓの上部が挟められるように前記Ｓバネを屈曲させて、前記空間部Ｓに複数本、併設したものとしている。なお、前記座部２と背もたれ部４の勾配面2a、4aのそれぞれの勾配角は、Ｓバネの屈曲角の度合いに応じて強くしたり弱くしたりすることができる。
【００２７】
さらに、この考案のソファーベッドは、前記弾性支持体15を覆うように前記座部２側から背もたれ部４側にかけて、これら弾性支持体15、座部２及び背もたれ部４の上面に上層クッション材16を重ね合わせたものとすることができる。この上層クッション材16は、ベッド状態で横になった使用者が、座部２と弾性支持体15の境目、及び背もたれ部４と弾性支持体15の境目の違和感をより少なくし、より快適な状態で就寝できるようにするものである。
【００２８】
なお、この考案のソファーベッドは、前記座部２の移動ブラケット３の他端を、ローラなどの転動体17によって支持したものとして、座部２が基台１を移動可能なものとし、前記起伏装置６のリンク機構の作動がスムーズになるようにしている。
【００２９】
以上のように構成されたこの考案のソファーベッドは、次のようにして使用することができる。
【００３０】
先ず、この考案のソファーベッドは、図１、４に示すような、ベッド状態においては、座部２と背もたれ部４の間から突き出るものは何もなく、使用者の身体は座部２と背もたれ部４の上面及び弾性支持体15の上面によって支えられているので、横になった使用者は抑圧感や違和感を感じることなく、快適な状態で就寝できるものとなる。
【００３１】
さらに、この考案のソファーベッドは、座部２及び背もたれ部４の上面に上層クッション材16を重ね合わせたものにすることにより、横になった使用者はより快適な状態で就寝できるものとなる。
【００３２】
次に、この考案のソファーベッドは、図１、４に示した状態から背もたれ部４の一端を持上げると、図２、５に示した状態を経て、背もたれ部４が起立して、図３、６に示したソファー状態となる。
【００３３】
この場合、第一リンク８及び第三リンク10は、基台１に固着されたバネ11及び12によって、背もたれ部４が起き上がる方向に、それぞれバネ付勢されているものとしており、さらに座部２の移動ブラケット３の他端が、ローラなどの転動体17によって支持したものとして、座部２が基台１を移動可能なものとしているので、起伏装置６のリンク機構の作動がスムーズなものとなり、背もたれ部４を簡単に起立させて、ソファー状態にすることができる。このソファー状態においても、座部２と背もたれ部４との間から突き出るものは何もないので、使用者は抑圧感や違和感を感じることなく、快適な状態で腰を掛けることができるものとなる。  
【符号の説明】
【００３４】
１  基台
２  座部
2a  勾配面
３  移動ブラケット
3a  下部
3b  上部
４  背もたれ部
4a  勾配面
５  起伏ブラケット
5a  上部
5b  下部
６  起伏装置
【００３５】
７  中間ブラケット
7a  下部
7b  上部
８  第一リンク
8a  一端
8b  他端
９  第ニリンク
9a  一端
9b  他端
10  第三リンク
10a 一端
10b 他端
【００３６】
11  バネ
12  バネ
15  弾性支持体
15a テーパ面
16  上層クッション材
17  転動体
【図１】
0003171110.tif 000003
【図２】
0003171110.tif 000004
【図３】
0003171110.tif 000005
【図４】
0003171110.tif 000006
【図５】
0003171110.tif 000007
【図６】
0003171110.tif 000008
【図７】
0003171110.tif 000009